(57)【特許請求の範囲】
【請求項１】
消火設備の手動起動装置を内蔵するガス系消火設備の操作箱において、扉の側部を操作箱本体に開閉可能に蝶着し、該扉の開閉側部の略中央に、扉を閉状態に保持する磁石からなる係止部材を１個配設するとともに、扉開放用の引き手部を係止部材の上方又は下方のいずれか一方側に偏倚して形成し、かつ、前記係止部材を挟んで引き手部を形成した側と反対側に扉の開きを検出するマイクロスイッチからなる扉開検出スイッチを係止部材に近接して配設したことを特徴とするガス系消火設備の操作箱。
【発明の詳細な説明】
【０００１】
【発明の属する技術分野】
本発明は、二酸化炭素等のガス系消火設備の操作箱に関し、特に、扉の係止部材を大きくして扉閉め状態の保持力を向上させるとともに、扉の変形による扉開検出スイッチの誤動作を防止し、さらに、気が動転した場合でも扉の開き方に間を持たせて、間違って扉を開く可能性を小さくすることができるガス系消火設備の操作箱に関するものである。
【０００２】
【従来の技術】
所定の区画の消火を行うガス系消火設備の多くは、消火設備の手動起動を安全に行うために、手動の起動装置を内蔵する操作箱が消火区画の外に設置されている。
この操作箱は、扉を開いて内部の起動用スイッチを押すことによって消火設備を起動させるが、この際、操作箱の扉を開けると消火区画内に警報が出され、さらに起動用スイッチが押されると消火設備が起動するようになっている。
【０００３】
【発明が解決しようとする課題】
ところで、近年、これらのガス系消火設備の手動起動装置が人為的ミスにより誤操作され、消火剤が意に反して放出される事故が増加する傾向にある。
操作箱は、扉を開けた時に、消火区画内には待避警報が発せられるが、操作箱の位置では、特に消火区画がどのような状態になるかというアナウンスはなく、このため、上記のような手動起動装置の誤操作が誘発されていた可能性が高い。
【０００４】
本発明は、上記従来のガス系消火設備の操作箱が有する問題点に鑑み、扉の係止部材を大きくして扉閉め状態の保持力を向上させるとともに、扉の変形による扉開検出スイッチの誤動作を防止し、さらに、気が動転した場合でも扉の開き方に間を持たせて、間違って扉を開く可能性を小さくすることができるガス系消火設備の操作箱を提供することを目的とする。
【０００５】
【課題を解決するための手段】
上記目的を達成するため、本発明のガス系消火設備の操作箱は、消火設備の手動起動装置を内蔵するガス系消火設備の操作箱において、扉の側部を操作箱本体に開閉可能に蝶着し、該扉の開閉側部の略中央に、扉を閉状態に保持する磁石からなる係止部材を１個配設するとともに、扉開放用の引き手部を係止部材の上方又は下方のいずれか一方側に偏倚して形成し、かつ、前記係止部材を挟んで引き手部を形成した側と反対側に扉の開きを検出するマイクロスイッチからなる扉開検出スイッチを係止部材に近接して配設したことを特徴とする。
【０００６】
このガス系消火設備の操作箱は、扉の開閉側部の略中央に、扉を閉状態に保持する係止部材を配設することにより、係止部材を大きくして扉閉め状態の保持力を向上させるとともに、扉の開きを検出する扉開検出スイッチを係止部材に近接して配設することにより、扉の変形による扉開検出スイッチの誤動作を防止し、さらに、扉開放用の引き手部を係止部材の上方又は下方のいずれか一方側で、引き手部を扉の開閉側部の中央から偏倚して形成することにより、気が動転した場合でも扉の開き方に間を持たせて、間違って扉を開く可能性を小さくすることができる。
さらに、引き手部を扉の開閉側部の中央から偏倚して形成することにより、縦横厚みとも操作箱の外形をコンパクトにするとともに、深さ広さにおいても大きなスペースを確保することができ、また、扉をこじるかたちで開けるため、通常時の振動等に対する扉閉の保持力を大きくしたまま、開放の操作力を小さくすることができ、さらに、いたずら防止シールを操作箱本体と扉の間に張るに際し、扉の開閉側部の中央に充分スペースを確保できることから、シールの視認性を向上させるとともに、操作箱の最終設置時の見栄えをよくすることができる。
【０００７】
【発明の実施の形態】
以下、本発明のガス系消火設備の操作箱の実施の形態を図面に基づいて説明する。
【０００８】
図１〜図２に、本発明のガス系消火設備の操作箱の一実施例を示す。
このガス系消火設備の操作箱は、例えば、図２に示すように、二酸化炭素消火設備１に使用される。
二酸化炭素消火設備１は、二酸化炭素を貯蔵する複数の消火剤貯蔵容器１１と、該消火剤貯蔵容器１１から流路１２を介して消火区画Ａに配設された複数の噴射ヘッド１３と、流路１２の途中に介設された選択弁１４と、該選択弁１４を作動させる起動用ガス容器１５と、該起動用ガス容器１５の容器弁ソレノイド１５ａを作動させる制御盤１６とを備えている。
制御盤１６には、自動起動装置の検知器となる火災感知器２と、手動起動装置となる起動用スイッチを内蔵した操作箱３とが電気的に接続されている。
【０００９】
一方、操作箱３は、扉３１を開いて内部の起動用スイッチ３２を押すことによって消火設備を起動させるが、この操作箱３の扉３１を開けた時に警報を出すスピーカ１７が消火区画Ａ内に配設されている。
そして、この操作箱３は、図１に示すように、扉３１の側部３１ａを操作箱本体３３に開閉可能に蝶着し、該扉３１の開閉側部３１ｂの略中央に、扉３１を閉状態に保持するマグネットキャッチ３４を１個配設するとともに、扉３１の開きを検出するマイクロスイッチ３５をマグネットキャッチ３４の上側に近接して配設し、さらに、扉開放用の引き手溝３６をマグネットキャッチ３４の下方に偏倚して形成している。
【００１０】
マグネットキャッチ３４は、マグネット本体３４ａが操作箱本体３３に固定されるとともに、吸着用鉄板（図示省略）が扉３１に固定されている。
また、マイクロスイッチ３５は、操作箱本体３３に固定されており、扉３１側に突出するように付勢されたアクチュエータ３５ａが、押さえ板３５ｂを介して閉じた扉３１に当接することにより退入した状態となっている。そして、扉３１を開くと、アクチュエータ３５ａが扉３１との当接から開放され、付勢方向に移動して接点を閉じ、前記消火区画Ａのスピーカ１７から警報を鳴らすスイッチとなる。
また、引き手溝３６は、扉３１の開閉側部３１ｂの上部に形成することも可能である。
【００１１】
かくして、本実施例のガス系消火設備の操作箱は、扉３１の開閉側部３１ｂの略中央に、扉３１を閉状態に保持するマグネットキャッチ３４を配設することにより、マグネットキャッチ３４を大きくして扉閉め状態の保持力を向上させるとともに、扉３１の開きを検出するマイクロスイッチ３５をマグネットキャッチ３４を挟んで引き手溝３６を形成した側と反対側にマグネットキャッチ３４に近接して配設することにより、扉３１の変形によるアクチュエータ３５ａの移動を抑制し、マイクロスイッチ３５の誤動作を防止することができる。
そして、扉開放用の引き手溝３６をマグネットキャッチ３４の上方又は下方のいずれか一方側に偏倚して、すなわち、引き手溝３６を中央の見やすいところに位置させないようにすることにより、気が動転した場合でも扉３１の開き方に間を持たせて、間違って扉３１を開く可能性を小さくすることができる。
【００１２】
また、引き手溝３６を、上記のように扉３１の開閉側部３１ｂの中央からずらせて配置することにより、以下のメリットが生じる。
（１）無駄な空間がなくなり、縦横厚みとも操作箱３の外形をコンパクトにするとともに、深さ広さにおいても大きなスペースを確保することができる。
（２）扉３１をこじる形で開けるため、通常時の振動等に対する扉閉の保持力を大きくしたまま、開放の操作力を小さくすることができる。
（３）いたずら防止のための「火災以外開放厳禁」のシールを操作箱本体３３と扉３１の間に跨るように張らなければならないが、扉３１の開閉側部３１ｂの中央に充分スペースが確保されることから、シールの視認性を向上させるとともに、操作箱３の最終設置時の見栄えをよくすることができる。
【００１３】
【発明の効果】
本発明のガス系消火設備の操作箱によれば、扉の開閉側部の略中央に、扉を閉状態に保持する係止部材を配設することにより、係止部材を大きくして扉閉め状態の保持力を向上させるとともに、扉の開きを検出する扉開検出スイッチを係止部材に近接して配設することにより、扉の変形による扉開検出スイッチの誤動作を防止し、さらに、扉開放用の引き手部を係止部材の上方又は下方のいずれか一方側で、引き手部を扉の開閉側部の中央から偏倚して形成することにより、気が動転した場合でも扉の開き方に間を持たせて、間違って扉を開く可能性を小さくすることができる。
さらに、引き手部を扉の開閉側部の中央から偏倚して形成することにより、縦横厚みとも操作箱の外形をコンパクトにするとともに、深さ広さにおいても大きなスペースを確保することができ、また、扉をこじるかたちで開けるため、通常時の振動等に対する扉閉の保持力を大きくしたまま、開放の操作力を小さくすることができ、さらに、いたずら防止シールを操作箱本体と扉の間に張るに際し、扉の開閉側部の中央に充分スペースを確保できることから、シールの視認性を向上させるとともに、操作箱の最終設置時の見栄えをよくすることができる。
【図面の簡単な説明】
【図１】  本発明のガス系消火設備の操作箱の一実施例を示し、（ａ）は扉を閉めた状態の正面図、（ｂ）は同左側面透視図、（ｃ）は右側面図（ｄ）は扉を省略した状態の正面図である。
【図２】  同実施例の操作箱を組み込んだ二酸化炭素消火設備を示す透視図である。
【符号の説明】
１    二酸化炭素消火設備
１１  消火剤貯蔵容器
１２  流路
１３  噴射ヘッド
１４  選択弁
１５  起動用ガス容器
１５ａ  容器弁ソレノイド
１６  制御盤
１７  スピーカ
２    火災感知器
３    操作箱
３１  扉
３１ａ  蝶着側部
３１ｂ  開閉側部
３２  起動用スイッチ
３３  操作箱本体
３４  マグネットキャッチ
３４ａ  マグネット本体
３５  マイクロスイッチ
３５ａ  アクチュエータ
３５ｂ  押さえ板
３６  引き手溝
Ａ    消火区画
【図１】
0004915887.tif 000002
【図２】
0004915887.tif 000003